(57)【特許請求の範囲】
【請求項１】
ローカルページングプロキシデバイスであって、
第１の通信ネットワークによって、リモートページングプロキシと通信するための第１の通信インターフェースと、
第２の通信ネットワークによって、クライアント端末と通信するための第２の通信インターフェースと、前記第１の通信ネットワークおよび前記第２の通信ネットワークは、アクセスポイントと通信するために前記クライアント端末によって使用される無線通信ネットワークとは異なる、
前記第１の通信インターフェースおよび前記第２の通信インターフェースに結合された処理回路と
を備え、前記処理回路は、
前記クライアント端末のプロキシとして動作するための通知を、前記第２の通信ネットワークを介して、前記クライアント端末から受信し、
前記クライアント端末へのページングメッセージのためにプロキシとして動作するように前記リモートページングプロキシに通知するために、前記第１の通信ネットワークを介して、メッセージを前記リモートページングプロキシに送信し、
前記リモートページングプロキシからの前記クライアント端末へのページングメッセージのための前記第１の通信インターフェースをモニタし、
前記第２の通信インターフェースを介して、受信されたページングメッセージの少なくとも一部を前記クライアント端末に送信するように構成される
ローカルページングプロキシデバイス。
【請求項２】
前記処理回路は、前記クライアント端末をローカルプロキシリストに加えるように更に構成される、請求項１に記載のデバイス。
【請求項３】
前記処理回路は、前記ページングメッセージの一部が前記クライアント端末に送信された後に、前記クライアント端末を前記ローカルプロキシリストから除くように更に構成される、請求項２に記載のデバイス。
【請求項４】
前記第１の通信インターフェースは、ネットワーク通信インターフェースであり、前記第２の通信インターフェースは無線通信インターフェースである、請求項１に記載のデバイス。
【請求項５】
前記クライアント端末からの前記受信された通知は、前記クライアント端末と関連付けられたクライアント識別子を含む、請求項１に記載のデバイス。
【請求項６】
前記リモートページングプロキシによって送信された前記ページングメッセージの一部は、前記クライアント端末が、前記無線通信ネットワークを介して、前記ページングメッセージへの応答を直接的に前記アクセスポイントに行うのに十分である、請求項１に記載のデバイス。
【請求項７】
前記ページングメッセージの一部は、ページングチャネルおよびセクタのうちの少なくとも１つを含む、請求項１に記載のデバイス。
【請求項８】
前記処理回路は、
前記第２の通信インターフェースを介して前記クライアント端末の存在をモニタし、
前記クライアント端末が、前記第２の通信インターフェースを介して前記ローカルページングプロキシによってもはや到達不可能であると決定されると、前記クライアント端末のプロキシとしての動作を停止する
ように更に構成される、請求項１に記載のデバイス。
【請求項９】
前記処理回路は、前記クライアント端末がサービスエリア外に移動したと決定された場合に、前記クライアント端末に後で伝達するために、前記受信されたページングメッセージの一部を記憶するように更に構成される、請求項１に記載のデバイス。
【請求項１０】
前記通知は、サービスエリア外に移動する前記クライアント端末によってトリガされるプロキシ要求である、請求項１に記載のデバイス。
【請求項１１】
前記ページングメッセージは、前記無線通信ネットワークを介して前記クライアント端末と通信セッションを開始するための要求である、請求項１に記載のデバイス。
【請求項１２】
前記クライアント端末は、受信されたページングメッセージについて知らされた場合にのみ電源が入る、請求項１に記載のデバイス。
【請求項１３】
ローカルページングプロキシ上で動作可能な方法であって、
クライアント端末へのページングメッセージのためのプロキシとして動作するための通知を、第２の通信ネットワークによって、前記クライアント端末から受信することと、
前記クライアント端末のプロキシとして動作するようにリモートページングプロキシに知らせるために、第１の通信ネットワークによって、メッセージを前記リモートページングプロキシに送信することと、
前記第１の通信ネットワークを介して前記リモートページングプロキシから前記クライアント端末へのページングメッセージのための第１の通信インターフェースをモニタすることと、前記第１の通信ネットワークおよび前記第２の通信ネットワークは、アクセスポイントと通信するために前記クライアント端末によって使用される無線通信ネットワークとは異なる、
第２の通信インターフェースを介して、受信されたページングメッセージの少なくとも一部を、前記第２の通信ネットワークによって、前記クライアント端末に送信することと
を備える方法。
【請求項１４】
前記クライアント端末をローカルプロキシリストに加えることと、
前記ページングメッセージの一部が前記第２の通信インターフェースを介して前記クライアント端末に送信された後に、前記クライアント端末を前記ローカルプロキシリストから除くことと
を更に備える、請求項１３に記載の方法。
【請求項１５】
前記ローカルページングプロキシは、前記リモートページングプロキシからのページングメッセージをモニタすることによって、複数のクライアント端末のプロキシとして動作する、請求項１３に記載の方法。
【請求項１６】
前記第２の通信インターフェースを介して前記クライアント端末の存在の継続をモニタすることと、
前記クライアント端末が、前記第２の通信インターフェースを介して前記ローカルページングプロキシによってもはや到達不可能であると決定されると、前記クライアント端末のプロキシとしての動作を停止することと
を更に備える、請求項１３に記載の方法。
【請求項１７】
前記クライアント端末がサービスエリア外に移動したと決定された場合に、前記クライアント端末に後で伝達するために、前記受信されたページングメッセージの一部を記憶することを更に備える、請求項１３に記載の方法。
【請求項１８】
前記ページングメッセージは、前記無線通信ネットワークを介して前記クライアント端末と通信セッションを開始するための要求である、請求項１３に記載の方法。
【請求項１９】
前記クライアント端末は、受信されたページングメッセージについて知らされた場合にのみ電源が入る、請求項１３に記載の方法。
【請求項２０】
ローカルページングプロキシデバイスであって、
クライアント端末のプロキシとして動作するための通知を、第２の通信ネットワークによって、前記クライアント端末から受信するための手段と、
前記クライアント端末のプロキシとして動作するようにリモートページングプロキシに知らせるために、第１の通信ネットワークによって、メッセージを前記リモートページングプロキシに送信するための手段と、
前記第１の通信ネットワークを介して前記リモートページングプロキシからの前記クライアント端末へのページングメッセージのための第１の通信インターフェースをモニタするための手段と、前記第１の通信ネットワークおよび前記第２の通信ネットワークは、アクセスポイントと通信するために前記クライアント端末によって使用される無線通信ネットワークとは異なる、
第２の通信インターフェースを介して、受信されたページングメッセージの少なくとも一部を、前記第２の通信ネットワークによって、前記クライアント端末に送信するための手段と、
を備えるローカルページングプロキシデバイス。
【請求項２１】
ローカルページングプロキシデバイス上で動作可能な１つ以上の命令を有するプロセッサ読取可能記録媒体であって、前記命令は、プロセッサによって実行されると、前記プロセッサに、
クライアント端末のプロキシとして動作するように通知を、第２の通信ネットワークによって、前記クライアント端末から受信させ、
前記クライアント端末のプロキシとして動作することをリモートページングプロキシに知らせるために、第１の通信ネットワークによって、メッセージを前記リモートページングプロキシに送信させ、
前記第１の通信ネットワークを介して前記リモートページングプロキシからの前記クライアント端末へのページングメッセージのための第１の通信インターフェースをモニタさせ、前記第１の通信ネットワークおよび前記第２の通信ネットワークは、アクセスポイントと通信するために前記クライアント端末によって使用される無線通信ネットワークとは異なる、
第２の通信インターフェースを介して、受信されたページングメッセージの少なくとも一部を、前記第２の通信ネットワークによって、前記クライアント端末に送信させる、
プロセッサ読取可能記録媒体。
【請求項２２】
前記第１の通信ネットワークは、インターネットパケット（ＩＰ）ネットワークである、請求項２１に記載のプロセッサ読取可能記録媒体。
【請求項２３】
前記第２の通信ネットワークは、アドホック・ピアツーピアネットワークである、請求項２１に記載のプロセッサ読取可能記録媒体。
【請求項２４】
前記無線通信ネットワークは、セルラ通信ネットワークである、請求項２１に記載のプロセッサ読取可能記録媒体。
【請求項２５】
前記ローカルページングプロキシは、非クライアント端末デバイスである、請求項２１に記載のプロセッサ読取可能記録媒体。
【請求項２６】
前記クライアント端末からの前記ページングメッセージに対する応答は、前記第１の通信ネットワークをバイパスする、請求項２１に記載のプロセッサ読取可能記録媒体。
【請求項２７】
前記プロセッサによって実行されると、前記プロセッサに、前記クライアント端末をローカルプロキシリストに追加させるための命令を更に備える、請求項２１に記載のプロセッサ読取可能記録媒体。
【請求項２８】
前記クライアント端末から受信された通知は、前記クライアント端末に関連付けられたクライアント識別子を含む、請求項２１に記載のプロセッサ読取可能記録媒体。
【請求項２９】
前記リモートページングプロキシによって送信された前記ページングメッセージの一部は、前記クライアント端末が、前記ページングメッセージへの応答を直接的に前記アクセスポイントに行うのに十分である、請求項２１に記載のプロセッサ読取可能記録媒体。
【請求項３０】
前記ページングメッセージの一部は、ページングチャネルおよびセクタのうちの少なくとも１つを含む請求項２１に記載のプロセッサ読取可能記録媒体。
【請求項３１】
前記プロセッサによって実行されると、前記プロセッサに、
前記第２の通信インターフェースを介して前記クライアント端末の存在をモニタさせ、
前記クライアント端末が、前記第２の通信インターフェースを介して前記ローカルページングプロキシによってもはや到達不可能であると決定されると、前記クライアント端末のプロキシとしての動作を停止させる
ための命令を更に備える請求項２１に記載のプロセッサ読取可能記録媒体。
【請求項３２】
前記プロセッサによって実行されると、前記プロセッサに、
前記クライアント端末がサービスエリア外に移動したと決定された場合に、前記クライアント端末に後で伝達するために、前記受信されたページングメッセージの一部を記憶させるための命令を更に備える請求項２１に記載のプロセッサ読取可能記録媒体。
【請求項３３】
前記ページングメッセージは、前記無線通信ネットワークを介して前記クライアント端末と通信セッションを開始するための要求である、請求項２１に記載のプロセッサ読取可能記録媒体。
【請求項３４】
前記第１の通信ネットワークはＩＰネットワークであり、前記第２の通信ネットワークはアドホック・ピアツーピアネットワークである、請求項２０に記載のデバイス。
【請求項３５】
前記無線通信ネットワークはセルラ通信ネットワークである、請求項２０に記載のデバイス。
【請求項３６】
前記ローカルページングプロキシは、非クライアント端末デバイスである、請求項２０に記載のデバイス。
【請求項３７】
前記クライアント端末からの前記ページングメッセージへの応答は、前記第１の通信ネットワークをバイパスする、請求項２０に記載のデバイス。
【請求項３８】
前記第１の通信ネットワークはＩＰネットワークであり、前記第２の通信ネットワークはアドホック・ピアツーピアネットワークである、請求項１３に記載の方法。
【請求項３９】
前記無線通信ネットワークはセルラ通信ネットワークである、請求項１３に記載の方法。
【請求項４０】
前記ローカルページングプロキシは、非クライアント端末デバイスである、請求項１３に記載の方法。
【請求項４１】
前記クライアント端末からの前記ページングメッセージへの応答は、前記第１の通信ネットワークをバイパスする、請求項１３に記載の方法。
【請求項４２】
前記第１の通信ネットワークはインターネットパケット（ＩＰ）ネットワークであり、前記第２の通信ネットワークはアドホック・ピアツーピアネットワークである、請求項１に記載のデバイス。
【請求項４３】
前記無線通信ネットワークはセルラ通信ネットワークである、請求項１に記載のデバイス。
【請求項４４】
前記ローカルページングプロキシは、非クライアント端末デバイスである、請求項１に記載のデバイス。
【請求項４５】
前記クライアント端末からの前記ページングメッセージへの応答は、前記第１の通信ネットワークをバイパスする、請求項１に記載のデバイス。
【発明の詳細な説明】
【技術分野】
【０００１】
様々な特徴が無線通信システムに関係する。少なくとも1つの特徴は、クライアント端末がその一次通信インターフェースを遮断した場合に、二次通信インターフェースを介してページングメッセージ（paging message）をクライアント端末に受信および転送するためにスケーラブル分割プロキシサーバ(scalable partitioned proxy server)を使用することによって、クライアント端末における電力節約を容易にするためのシステムおよび方法に関係する。
【背景技術】
【０００２】
無線信号を介して別のデバイスと通信する、ラップトップコンピュータ、携帯情報端末デバイス、モバイル電話またはセルラ電話、あるいはプロセッサを有する任意の別のデバイスのようなクライアント端末が益々人気になってきている。クライアント端末は、典型的に電池式であり、バッテリが提供可能な電力量は限られている。クライアント端末上で作動する強力なアプリケーション、特に、エンターテイメント媒体(entertainment media)および画像アプリケーションを使用する消費者の場合、バッテリ電力を節約することは重要である。
【０００３】
クライアント端末は、「アクティブ」モードと「遊休(idle)」モードとを含むいくつかのモードのうちの１つのモードで動作しうる。アクティブモードにおいて、クライアント端末は、例えば、音声またはデータの呼び出しあるいはセッション(session)など、無線通信システムにおいて、１つ以上のアクセスポイント（例えば、基地局、ノードＢ、フェムトセル(femto cell)等）とデータをアクティブに交換することができる。遊休モードにおいて、クライアント端末は、ページングメッセージ用のページングチャネル（ＰＣＨ;paging channel）のような制御チャネルをモニタすることができる。そのようなページングメッセージは、クライアント端末に入電の発生を報知するメッセージと、クライアント端末についてのシステム情報および別の情報を搬送する制御／オーバーヘッドメッセージとを含みうる。遊休モードにおいて、従来のクライアント端末は、ページングチャネルをモニタするために必要な回路を維持するために、かなりの量の電力を消費しうる。すなわち、クライアント端末は、ページングチャネル上のページングメッセージに対してリスンする（listen for）ために、周期的にその受信機をオンにしうる。そのような受信機の循環運動は、かなりの電力消費に帰着する。例えば、符号分割多元接続（ＣＤＭＡ）（広域符号多元接続（Ｗ−ＣＤＭＡ）を含む）および／またはＧＳＭ（登録商標）標準に準拠した通信デバイスにおいて、受信機をオンとオフに循環運動する結果として、遊休モードでの電流消費は、数ミリアンペア（ｍＡ）に及ぶ。
【０００４】
この電流消費の結果として、クライアント端末の利用可能なバッテリ電力は減少し、バッテリの再充電の間のスタンバイ時間、および、発呼または着呼時の通話時間を短縮させる。
【０００５】
ゆえに、クライアント端末が遊休モードの間、その電力消費を削減する解法が必要である。
【発明の概要】
【０００６】
１つの特徴は、クライアント端末がその一次通信インターフェースまたは高電力インターフェースを遮断している間、クライアント端末に向けられたページングメッセージをモニタし、それを転送するために（二次通信インターフェースまたは低電力インターフェースを介して）分割プロキシサーバ（partitioned proxy server）を使用することによって、クライアント端末における電力節約を容易にするためのシステムおよび方法を提供する。分割プロキシサーバは、リモートページングプロキシ（remote paging proxy）およびローカルページングプロキシ（local paging proxy）を含みうる。リモートページングプロキシは、クライアント端末の代わりにページングメッセージをモニタおよび／または受信し、それをローカルページングプロキシに（例えば、インターネットパケット（ＩＰ）ネットワークを通して）転送する。ローカルページングプロキシは、二次通信インターフェースを介してクライアント端末に転送されたページングメッセージを受信することができる。クライアント端末が転送されたページングメッセージを受信すると、それは、その一次インターフェースをオンにし、通信ネットワークへのアクセスポイントを介してページングメッセージに応答する。
【０００７】
プロキシサーバ（proxy server)をリモートページングプロキシおよびローカルページングプロキシという２つのエレメントに分割することによって、複数のサービスプロバイダおよび／または複数のテクノロジが利用されうる。加えて、リモートページングプロキシに分離することによって、クライアント端末が、選択ローカルページングプロキシのサービスエリア外のエリアに移動した場合、ネットワークは、クライアント端末が新しいローカルページングプロキシを選択するまでページングメッセージを記憶または保持し、新しいローカルページングプロキシを介してそのページングメッセージをクライアント端末に転送することができる。リモートページングプロキシとローカルページングプロキシとは地理的に離れているため、リモートページングプロキシは、選択ローカルページングプロキシがサービスを有さない領域にクライアント端末がいる間、アクセスポイントとのコンタクトを維持することができる。
【０００８】
クライアント端末は、その低電力インターフェースをスキャンすることによってローカルページングプロキシを見つけることができる。より低い電力のインターフェースは、クライアント端末の高電力インターフェースがオフにされた場合にページングメッセージを受信するために使用されうるインターフェースであるため、利用可能なローカルページングプロキシのためのスキャンに使用される。１つ以上のローカルページングプロキシがクライアント端末によって識別されると、それは、利用可能なローカルページングプロキシのどれが、クライアント端末の低電力インターフェースで測定されるか、知覚される最良または最強の短距離リンクを有するかに基づいて、その「プロキシ」としての機能を果たす１つのローカルページングプロキシを選択しうる。次に、クライアント端末は、クライアント端末およびローカルページングプロキシの両方の低電力インターフェースを介して通信リンクを確立するために、プロキシ要求を選択ローカルページングプロキシに送信することができる。次に、選択ローカルページングプロキシは、そのローカルプロキシリスト(local proxy list)にクライアント端末を追加し、それによって、プロキシ要求をリモートページングプロキシに転送することができる。次に、リモートページングプロキシは、そのリモートプロキシリストにクライアント端末を追加しうる。
【０００９】
プロキシ要求がローカルページングプロキシおよび／またはリモートページングプロキシによって送信および／または受領されると、クライアント端末の高電力インターフェースは、電力節約を容易にするために電源が切られる（例えば、オフにされる）。低電力インターフェースは高電力インターフェースよりも電力消費が少ないため、クライアント端末は電力を節約することができ、且つ、クライアント端末の内蔵電源の寿命は延びる。
【００１０】
選択ローカルページングプロキシの対応リモートページングプロキシは、クライアント端末に向けられたページングメッセージのためのアクセスポイントをモニタしうる。そのリスト内のクライアント端末に向けられたページングメッセージを受信すると、ページングメッセージは、アクセスポイントによってリモートページングプロキシに送信され、それは、次に、そのページングメッセージを、ＩＰネットワークを介してローカルページングプロキシに転送する。次に、ローカルページングプロキシは、その低電力インターフェースを通してページングメッセージ（あるいは、その一部）をクライアント端末に転送する。ページングメッセージは、報知制御チャネル番号（ＢＣＣＨ）、ＢＣＣＨ時間オフセット、セクタ番号など、対象のクライアント端末がページング応答を送信するか、あるいはそのページングメッセージに応答する（例えば、呼び出しを受ける）ことができるように十分な情報を含みうる。
【００１１】
特徴、性質、および本特徴の利点は、同様の参照文字が全体的に相応じて識別する図面と共に考慮される場合、下に示される発明の詳細な説明からより明白になりうる。
【図面の簡単な説明】
【００１２】
【図１】図１は、分割ページングプロキシサーバがクライアント端末における電力節約を容易にする無線通信システムを示すブロック図である。
【図２Ａ】図２Ａは、分割プロキシサーバがクライアント端末における電力節約を容易にする無線通信システムの動作を示すフロー図である。
【図２Ｂ】図２Ｂは、分割プロキシサーバがクライアント端末における電力節約を容易にする無線通信システムの動作を示すフロー図である。
【図２Ｃ】図２Ｃは、分割プロキシサーバがクライアント端末における電力節約を容易にする無線通信システムの動作を示すフロー図である。
【図３】図３は、分割プロキシサーバがクライアント端末における電力節約を容易にする無線通信システムの別の例を示すブロック図である。
【図４】図４は、１つ以上の分割プロキシサーバが、ローミングクライアント端末(roaming client terminals)における電力節約を容易にするために、プロキシとして動作する無線通信システムの例を示すブロック図である。
【図５】図５は、１つ以上のプロキシが、クライアント端末における電力節約を容易にしえる無線通信システムのさらに別の例を示すブロック図である。
【図６】図６は、クライアント端末における電力節約を容易にするために、プロキシとして動作するように構成されたリモートページングプロキシの例のブロック図である。
【図７】図７は、クライアント端末における電力節約を容易にするための、リモートページングプロキシにおいて動作可能な方法を示すフロー図である。
【図８】図８は、ローカルページングプロキシがサービス提供するクライアント端末における電力節約を容易にするためにプロキシとして動作するように構成されたローカルページングプロキシの例のブロック図である。
【図９】図９は、ローカルページングプロキシがサービス提供をするクライアント端末における電力節約を容易にするための、ローカルページングプロキシにおいて動作可能な方法を示すフロー図である。
【図１０】図１０は、分割プロキシサーバを使用することによる電力節約のために構成されたクライアント端末の例のブロック図である。
【図１１】図１１は、分割プロキシサーバを使用することによる電力節約のための、クライアント端末において動作可能な方法を示すフロー図である。
【図１２】図１２は、アクセスポイントがサービス提供するクライアント端末における電力節約を容易にするために、プロキシとして動作するように構成されたリモートページングプロキシと同じ場所に配置されたアクセスポイントの例のブロック図である。
【図１３】図１３は、アクセスポイント／リモートページングプロキシがサービス提供するクライアント端末における電力節約を容易にするためにアクセスポイント／リモートページングプロキシにおいて動作可能な方法を示すフロー図である。
【発明の詳細な説明】
【００１３】
下記記述において、実施形態の完全な理解を提供するために特定な詳細が与えられる。しかしながら、その実施形態が、これらの特定な詳細なしに実施されうることは当業者によって理解されるであろう。例えば、回路は、不必要な詳細で実施形態を不明瞭にしないために、ブロック図の形で示されうる。別の例において、周知の回路、構造、および技術が、その実施形態を不明瞭にしないために、詳細に示されうる。
【００１４】
また、実施形態が、フローチャート、フロー図、構造図、またはブロック図として描写されるプロセスとして記述されうることに注意されたい。フローチャートは、動作を連続のプロセスとして記述しうるが、動作の大半は、同時または並行して実行されうる。加えて、動作の順序は再配列されうる。プロセスは、その動作が完了すると終了する。プロセスは、方法、機能、手順、サブルーチン、サブプログラム等に対応しうる。プロセスが機能に相当する場合、その終了は、呼び出し機能または主要機能への機能の復帰に対応する。
【００１５】
さらに、記憶媒体は、読み取り専用メモリ（ＲＯＭ）、ランダムアクセスメモリ（ＲＡＭ）、磁気ディスク記憶媒体、光記憶媒体、フラッシュメモリデバイス、および／または、情報を記憶するための別の機械可読媒体を含むデータを記憶するための１つ以上のデバイスを表しうる。「機械可読媒体」という用語は、ポータブルまたは固定記憶デバイス、光記憶デバイス、無線チャネル、並びに、命令および／またはデータを記憶、包含、または搬送することができる様々な別媒体を含むがそれに限定されない。
【００１６】
さらに、実施形態は、ハードウェア、ソフトウェア、ファームウェア、ミドルウェア、マイクロコード、あるいは、それらのあらゆる組み合わせによって実施されうる。ソフトウェア、ファームウェア、ミドルウェア、またはマイクロコードに実施された場合、必要なタスクを実行するためのプログラムコードまたはコードセグメント（code segment）は、記憶媒体または別の記憶装置などの機械可読媒体に記憶されうる。プロセッサは、必要なタスクを実行することができる。コードセグメントは、手順、機能、サブプログラム、プログラム、ルーチン、サブルーチン、モジュール、ソフトウェアパッケージ、クラス、あるいは、命令、データ構造、またはプログラムセグメントのあらゆる組み合わせを表しうる。コードセグメントは、情報、データ、引数、パラメータ、またはメモリコンテンツを伝達および／または受信することによって、別のコードセグメントまたはハードウェア回路に結合されうる。情報、引数、パラメータ、データ等は、メモリ共有、メッセージパッシング、トークンパッシング(token passing)、ネットワーク送信等を含む任意の適切な手段を介して伝達、転送、あるいは送信されうる。
【００１７】
本明細書に開示される例と関連して記述される様々な実例となる論理ブロック、モジュール、回路、エレメント、および／またはコンポーネントは、汎用のプロセッサ、デジタル信号プロセッサ（ＤＳＰ）、特定用途向けＩＣ（ＡＳＩＣ）、書替え可能ゲートアレイ（ＦＰＧＡ）または他のプログラマブル論理コンポーネント、ディスクリートゲートまたはトランジスタ論理、ディスクリートハードウェアコンポーネント、もしくは本明細書に記述される機能を実行するよう設計されたそれらのあらゆる組み合わせと一緒に実施または実行されうる。汎用プロセッサはマイクロプロセッサでありうるが、代替で、プロセッサは任意の従来のプロセッサ、コントローラ、マイクロコントローラ、またはステートマシンでありうる。プロセッサは、また、例えば、ＤＳＰとマクロプロセッサ、多数のマイクロプロセッサ、ＤＳＰコアに結合した１つ以上のマイクロプロセッサ、その他の上記構成の組み合わせといった計算コンポーネントの組み合わせとしても実施されうる。
【００１８】
本明細書に開示される例に関連して示される方法またはアルゴリズムは、処理ユニット、プログラミング命令、または別の指示の形で、直接的にハードウェアに、プロセッサによって実行可能なソフトウェアモジュールに、または、それら二つの組み合わせに組み込まれ、且つ、単一のデバイスに含まれるか、あるいは、複数のデバイスに亘って分散されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または本技術分野において周知の他の形態の記憶媒体に存在しうる。記憶媒体は、プロセッサが記憶媒体から情報を読み取り、記憶媒体に情報を書き込むことができるようにプロセッサに結合されうる。代替において、記憶媒体はプロセッサに一体化されうる。
【００１９】
以下の記述において、ある特徴を記述するためにある用語が使用される。例えば、「アクセスポイント」という用語は、通信ネットワークまたはデータネットワークへの無線接続性（無線通信デバイスのための）を容易にするデバイスを指す。例えば、「アクセスポイント」は、基地局、ノードＢデバイス、フェムトセル、ピコセル（pico cell）等を含みうる。「クライアント端末」という用語は、モバイル電話、ページャ、無線モデム、携帯情報端末、パーソナル情報マネジャ（ＰＩＭ）、パームトップコンピュータ(palmtop computer)、ラップトップコンピュータ、および／または、無線ネットワークまたはセルラネットワークを通して少なくとも部分的に通信する別のモバイル通信／計算デバイスを指す。
【００２０】
[概要] 
１つの特徴は、クライアント端末がその一次通信インターフェースまたは高電力インターフェースを遮断している間、クライアント端末に向けられたページングメッセージを（二次通信インターフェースまたは低電力インターフェースを介して）モニタおよび転送するために分割プロキシサーバを使用することによって、クライアント端末における電力節約を容易にするためのシステムおよび方法を提供する。分割プロキシサーバは、リモートページングプロキシおよびローカルページングプロキシを含みうる。リモートページングプロキシは、クライアント端末の代わりページングメッセージをモニタおよび／または受信し、それをローカルページングプロキシに転送する（例えば、インターネットパケット（ＩＰ）ネットワークを通して）。ローカルページングプロキシは、二次通信インターフェースを介してクライアント端末への転送ページングメッセージを受信することができる。クライアント端末が、転送されたページングメッセージを受信すると、クライアント端末は、その一次インターフェースをオンにし、通信ネットワークへのアクセスポイントを介してページングメッセージに応答する。
【００２１】
様々な例において、リモートページングプロキシは、アクセスポイント（基地局）と同じ場所あるいはそれに近接した場所に配置され、そうでなければ、通信ネットワーク内で別々に配置されうる。
【００２２】
プロキシサーバを、リモートページングプロキシおよびローカルページングプロキシという2つのエレメントに分割することによって、複数のサービスプロバイダおよび／または複数のテクノロジが利用されうる。例えば、リモートページングプロキシは、新しいセルラテクノロジなどの新しいテクノロジをサポートするプラグインモジュールを含むことで柔軟性を提供することができる。加えて、リモートページングプロキシへと分割することによって、クライアント端末が選択ローカルページングプロキシのサービスエリアの外のエリアに移動した場合に、ネットワークは、クライアント端末が新しいローカルページングプロキシを選択するまでそのページングメッセージを記憶または保持し、そのページングメッセージを、新しいローカルページングプロキシを介してクライアント端末に転送することができる。換言すると、リモートページングプロキシおよびローカルページングプロキシは地理的に離れているため、リモートページングプロキシは、選択ローカルページングプロキシがサービスを有さない領域にクライアント端末がいる間、アクセスポイントとのコンタクトを維持することができる、一例において、クライアント端末からのプロキシ要求は、クライアント端末がサービスを有さない領域にローミング(roam)する際にトリガされ(triggered)うる。
【００２３】
[分割ページングプロキシを用いた無線通信ネットワーク]
図１は、１つ以上の分割プロキシサーバが、クライアント端末における電力節約を容易にするためにプロキシとして動作する無線通信システム１００を示すブロック図である。分割プロキシサーバは、リモートページングプロキシ１０２およびローカルページングプロキシ１０４を含みうる。この構成において、リモートページングプロキシ１０２は、セルラ通信ネットワーク１０７のためのアクセスポイント１１０（例えば、基地局、ノードＢ、フェムトセル、ピコセル等）と同じ位置に配置されうる。リモートページングプロキシ１０２は、インターネットプロトコル（ＩＰ）またはパケットネットワーク１０８（有線または無線の）と結合され、それを通して、１つ以上のローカルページングプロキシ１０４と通信することができる。いくつかの実施形態において、セルラ通信ネットワーク１０７が、ＩＰネットワーク１０８を通して動作するか、あるいは、ＩＰネットワーク１０８と同一であることに注意されたい。
【００２４】
クライアント端末１０６は、高電力インターフェース（例えば、一次通信インターフェース）を介してアクセスポイント１１０（および、セルラ通信ネットワーク１０７）と通信するように構成されうる。ローカルページングプロキシ１０４およびクライアント端末１０６は、また、互いに直接通信するための低電力インターフェース１１２（またはトランシーバ）を含みうる。
【００２５】
高電力インターフェースが、ページングメッセージをチェックしたり構成を変更したりするためにオンとオフに循環運動することから、従来のクライアント端末は、遊休モードで動作する際、その内蔵電源からの電力を消費し続けうる。結果として、利用可能な電力は減り続け、バッテリの再充電の間のスタンバイ時間、発呼または着呼時の利用可能な通話時間とを短くする。
【００２６】
対照的に、クライアント端末１０６は、改善された電力節約のために構成されうる。動作の電力節約モードにおいて、クライアント端末１０６は、ローカルページングプロキシ１０４がそのプロキシとして動作する要求しうる。クライアント端末１０６は、その低電力インターフェース１１２をスキャンすることによってローカルページングプロキシを見つけることができる。いくつかの実施形態において、低電力インターフェース１１２は、それが、クライアント端末の高電力インターフェース１１４がオフの時にページングメッセージを受信するために使用されうるインターフェースであるため、ローカルページングプロキシをスキャンするために使用されうる。そのようなスキャンを実行する際、クライアント端末１０６は、低電力インターフェース、および、ＩＰネットワーク１０８へのインターフェースの両方を有する潜在的なローカルページングプロキシの識別を試みる。これは、ローカルページングプロキシ１０４が、ＩＰネットワーク１０８を介してリモートページングプロキシ１０２からページングメッセージを受信し、それらを、低電力インターフェース１１２を介して対象のクライアント１０６に転送するためである。
【００２７】
１つ以上のローカルページングプロキシが、クライアント端末１０６によって識別されると、利用可能なローカルページングプロキシ１０４のどれが、クライアント端末の低電力インターフェース１１２で測定されるか、知覚される最良または最強の短距離リンクを有するかに基づいて、その「プロキシ」として動作する１つのローカルページングプロキシ１０４を選択することができる。クライアント端末は、おそらくは、クライアント識別子と共にプロキシ要求１１６を選択ローカルページングプロキシ１０４に送信しうる。いくつかの実施形態において、クライアント端末１０６は、１つ以上のローカルページングプロキシ１０４との安全な関係を事前に確立することができる。安全な関係を事前に確立することによって、クライアント端末１０６は、そのプロキシとしての機能を果たす選択ローカルページングプロキシ１０４を信頼し、リモートページングプロキシ１０２から受信した到来（incoming）ページングメッセージ１１８を転送することができる。
【００２８】
ローカルページングプロキシ１０４が識別および選択されると、クライアント端末１０６とローカルページングプロキシ１０４の両方の低電力インターフェースを介した通信リンクが確立またはセットアップされうる。選択ローカルページングプロキシ１０４が、クライアント端末１０６のプロキシとして確立されると、ローカルページングプロキシ１０４は、クライアント端末１０６をそのローカルプロキシリストに追加する。ローカルプロキシリストに追加されると、ローカルページグプロキシ１０４は、プロキシ要求１１６をリモートページングプロキシ１０２に転送することができる。次に、リモートページングプロキシ１０２は、クライアント端末１０６をそのリモートプロキシリストに追加しうる。プロキシ要求１１６が、ローカルページングプロキシ１０４および／またはリモートページングプロキシ１０２によって送信および／または受信されると、クライアント端末１０６の高電力インターフェース１１４は、電力節約を容易にするために電源が切られうる（例えば、オフにされる）。低電力インターフェース１１２は、高電力インターフェース１１４よりも電力の消費が少ないため、クライアント端末１０６は電力を節約することができ、且つ、クライアント端末１０６の内臓電源の寿命が延長されうる。
【００２９】
選択ローカルページングプロキシ１０４の対応リモートページングプロキシ１０２は、クライアント端末１０６に向けられたページングメッセージのためにアクセスポイント110をモニタすることができる。リスト内のクライアント端末１０６に向けられたページングメッセージを受信すると、ページングメッセージ１１８は、アクセスポイント１１０によってリモートページングプロキシ１０２に送信され、それは、そのページングメッセージ１１８を、ＩＰネットワーク１０８を介してローカルページングプロキシ１０４に転送する。次に、ローカルページングプロキシ１０４は、その低電力インターフェースを介して、そのページングメッセージ１１８（または、その一部）をクライアント端末１０６に転送することができる。ページングメッセージ１１８ｃは、報知制御チャネル番号（ＢＣＣＨ）、ＢＣＣＨ時間オフセット、セクタ番号など、対象クライアント端末１０６がページング応答を送信するか、あるいは、ページングメッセージに応答１２０できる（例えば、呼び出しを受ける）ように、十分な情報を含みうる。例えば、ＣＤＭＡ２０００に準拠したネットワークのためのページングメッセージは、さらに、下記フィールドの一部または全てを含みうる。
【表１】
0005619777.tif 000002
【００３０】
リモートページングプロキシ１０２およびローカルページングプロキシ１０４は、複数の別のクライアント端末に向けられたページングメッセージをモニタし、受信されうるページングメッセージを転送することによって、そのような別のクライアント端末の「プロキシ」として同様に動作することができる。
【００３１】
１つの特徴に従って、クライアント端末１０６と分割プロキシサーバ（リモートページングプロキシ１０２とローカルページングプロキシ１０４）との間のプロキシスキームは、アクセスポイントがその動作を変更する必要がないように、システム１００の残りに対して透明でありうる。例えば、リモートページングプロキシ１０２は、アクセスポイントのページグメッセージをモニタすることができ（例えば、無線送信を通して、あるいは、アクセスポイント１１０から直接獲得される）、それによって、通信システム１００の残り（おそらくはアクセスポイント１１０を含む）に対してシームレスである。
【００３２】
一実施形態において、低電力インターフェース１１２（例えば、二次通信インターフェース、低帯域通信インターフェース、あるいは、短距離通信インターフェース）は、電力の消費が、高電力インターフェース（例えば、一次通信インターフェース、高帯域通信インターフェース、あるいは、長距離通信インターフェース）よりも少ない。「高電力」および「低電力」という用語が相対語であること、且つ、電力消費の特定のレベルを示さないことは明白であるべきである。クライアント端末１０６の低電力インターフェースは、単に、所与の動作時間の間、クライアント端末の高電力インターフェース１１４よりも電力消費が少ない。典型的に、より低い帯域幅および／またはより短い距離のインターフェースは、より高い帯域幅および／またはより長い距離のインターフェースよりも少ない電力を消費するであろう。クライアント端末１０６は、内臓の（限られた）電源（例えば、バッテリ）によって電力供給されうる。
【００３３】
長距離、高電力、および／または高帯域通信インターフェースの１つの例はＷ−ＣＤＭＡに準拠したトランシーバである。しかしながら、他の例において、そのような高電力インターフェースは、Ｗ−ＣＤＭＡ、ｃｄａｍ２０００、ＧＳＭ、ＷｉＭａｘ、およびＷＬＡＮを含むがそれに限定されない現代の通信規格に従って動作しうる。Ｗ−ＣＤＭＡにおいて、クライアント端末１０６は、電力消費を削減するために、高電力インターフェースが遊休モードの際に不連続受信（ＤＲＸ）を使用しうる。ＤＲＸが使用されると、クライアント端末は、ＤＲＸ周期につき、１つのページングオケージョン内の１つのページインジケータ（ＰＩ）をモニタする。ページングインジケータチャネル（ＰＩＣＨ）は、ページングインジケータを搬送するために使用される固定レート（ＳＦ＝２５６）の物理チャネルでありうる。ＰＩＣＨは、ＰＣＨトランスポートチャネルがマッピングされるセコンダリ共通制御用物理チャネル（Ｓ−ＣＣＰＣＨ）と関連付けられる。
【００３４】
短距離、低電力、および／または低帯域通信インターフェースの１つの例は、時分割多重（ＴＤＤ）スキームを使用する、ブルートゥーストゥースに準拠したトランシーバである。そのようなブルートゥースインターフェースは、同期方法で、交互に送信および受信することができる。これは、ブルートゥーステクノロジを介して接続された複数の端末が、しばしばピコネットと呼ばれるアドホック方式で通信することを可能にする。ピコネットは、主端末、すなわち、従属端末との通信を開始する端末のシステムクロックによって同期化されうる。主端末のブルートゥースデバイスドレス（ＢＤ_ＡＤＤＲ）は、周波数ホッピングシーケンスおよびチャネルアクセスコードを決定し、主端末のシステムクロックはホッピングシーケンスにおける位相を決定する。主端末は、さらに、ポーリングスキームによってチャネル上のトラフィックを制御することができる。ピコネットが存在する間、主端末は、そのシステムクロックを決して調整しない。従属端末は、主クロックに一致させるために、時間オフセットを用いて、それらの固有クロックを適応させる。ブルートゥースクロックは、例えば、３１２．５マイクロ秒の解像度を有しうる。
【００３５】
ブルートゥースベースバンドプロトコル（Bluetooth(登録商標) baseband protocol）は、回線交換とパケット切換との組み合わせである。スロットは、同期パケットのためにリザーブされ(reserved)うる。各パケットは、異なるホップ周波数(hop frequency)で送信されうる。パケットは、名目上、１スロットをカバーするが、例えば、最大５スロットをカバーするために拡張されうる。ブルートゥース送信チャネルは、６２５μ秒のスロットに分割されうる。送信は、奇数（１、３、あるいは５）のスロットを占めるパケットで生じる。一例において、各パケットは、パケットが１スロットを占める場合に１６００ホップ／秒の最大周波数ホッピングレートであり、パケットが５スロットを占める場合に３２０ホップ／秒の最小ホッピングレートである異なるホップ周波数上で送信される。全スロットがそれと関連付けられた周波数を有するが、複数のスロットを占めるパケットの送信は第１のスロットに関連付けられた周波数を使用しうることに注意されたい。従属パケット送信（従属端末からの）は、主パケット送信（主端末からの）の次に起こりうる。従属端末は、それに特にアドレス指定された主端末のパケットに応答しうる。送信すべきデータを有さない場合、従属端末は、空白パケットを送信することができる。さらに、各パケットは、受信された前パケットについての肯定応答ＡＣＫ情報を含みうる。
【００３６】
通常、２つの端末間の接続は、下記方式で生じる。主端末（例えば、クライアント端末１０６）は、ＧＩＡＣ（General Inquiry Access Code）およびＤＩＡＣ（Dedicated Inquiry Access Code）を使用して、その範囲内にあるブルートゥースデバイス（例えば、ローカルページグプロキシ１０４）について問い合わせる（問合せサブ状態（Inquire substate））。いずれかの近接するブルートゥースデバイス（端末）が、これらの問合せに対してリスン場合（問い合わせスキャンサブ状態（Inquiry scan sub-state））、それは、そのアドレスおよび周波数ホップ同期化（ＦＨＳ；frequency Hop Synchronization）パケットを主端末に送信することによって主端末に応答する（問合せ応答サブ状態（Inquiry response sub-state））。情報の送信後、従属端末は、主端末からのページメッセージに対するリスンを開始しうる（ページスキャン（Page scan））。主端末は、範囲内のブルートゥース（端末）を発見した後、接続セットアップのためにこれらの従属端末をページングしうる（ページングサブ状態（Page sub-state））従属端末は、主端末によってページングされた場合にページスキャンモードで、そのデバイスアクセスコード（ＤＡＣ;Device Access Code）で応答する（従属応答サブ状態（Slave response sub-state））。主端末は、従属端末からの応答の受信後、主端末の実時間クロック、主端末のＢＤ_ＡＤＤＲ、ＢＣＨパリティビット、主端末のクラスを送信することによって応答することができる（ＦＨＳパケット）。従属端末がこのＦＨＳパケットを受信すると、両方の端末が接続状態になり、通信を開始しうる。
【００３７】
ページスキャン状態の間、ブルートゥースに準拠した端末は、ブルートゥースに準拠した別の端末からのページ要求１１６またはページングメッセージ１１８を待ちうる。このページスキャン状態は、スキャン位相とスリープ位相とを交替にすることを含みうる。２つのパラメータが、ページスキャン状態を定義しうる。ページスキャンインターバルTpage_scanは２つの連続スキャン位相間の時間を指し、ページスキャンウィンドウTpage_scan_windowは、スキャン位相の持続時間を決定する。ブルートゥースに準拠した端末のいくつかの実施形態において、ページスキャンインターバルは、１１．２５ミリ秒と２．５６秒との間で変動することができる。
【００３８】
本明細書に記述されるシグナリング検出技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、Ｗｉ−Ｍａｘのような様々な無線通信システムに対して使用されうる。ＣＤＭＡシステムは、広帯域ＣＤＭＡ（Ｗ−ＣＤＭＡ）、ｃｄｍａ２０００などの無線アクセステクノロジ（ＲＡＴ）を実施することができる。ＲＡＴは、無線通信に使用されるテクノロジを指す。ＴＤＭＡシステムは、汎ヨーロッパデジタル移動通信システム（ＧＳＭ）のようなＲＡＴを実施することができる。万国移動通信システム（ＵＭＴＳ）は、ＲＡＴとしてＷ−ＣＤＭＡおよびＧＳＭを使用するシステムであり、「第３世代パートナーシッププロジェクト（３ＧＰＰ）」という名称の団体からの文書に記述されている。ｃｄｍａ２０００は、「第３世代パートナーシッププロジェクト２（３ＧＰＰ２）」という名称の団体からの文書に記述されている。３ＧＰＰおよび３ＧＰＰ２は、公に入手可能な文書である。
【００３９】
本明細書で使用されるように、アクセスポイント１１０は、クライアント端末と通信することができるデバイスであり、それはまた、基地局、ノードＢ、またはいくつかの類似した別のデバイスで呼ばれ、さらに、それらの機能性のいくつかまたは全てを含みうる。クライアント端末１０６は、ユーザ機器（ＵＥ）、無線通信デバイス、モバイル局、コンピュータ、ラップトップ、モバイル電話、セルラ電話、またはいくつかの別の用語で呼ばれ、さらに、それらの機能性のいくつかまたは全てを含みうる。いくつかの実施形態において、リモートページグプロキシ１０２の動作および／または機能性は、アクセスポイント１１０に一体化されうる。
【００４０】
図２は、分割プロキシサーバが、クライアント端末における電力節約を容易にする無線通信システムの動作を示すフロー図である。分割プロキシサーバは、リモートページングプロキシおよびローカルページングプロキシを含みうる。この例において、図１のアクセスポイント１１０、リモートページングプロキシ１０２、ローカルページジングプロキシ１０４、および、クライアント端末１０６が例示目的で使用される。クライアント端末１０６は、クライアント識別子（ＩＤ）、トラフィックおよび／またはページングチャネル情報、セクタ情報、および／または、クライアント端末１０６と関連付けられたホップシーケンス（例えば、その高電力インターフェースについての）記憶することができる。リモートページングプロキシ１０２およびローカルページングプロキシ１０４は、それぞれ、それらがプロキシとして動作しているクライアント端末のリモートクライアントプロキシリストおよびローカルクライアントプロキシリストを維持することができる。リモートプロキシリストは、各クライアント端末に対して責任を持つローカルページングプロキシに加えてクライアント端末の名称または識別子を含みうる。
【００４１】
クライアント端末１０６が電力節約または新しいサービスエリアへのローミングを望む場合、それは、例えば、低電力インターフェース（例えば、二次インターフェース）を通してプロキシ要求（クライアント端末につていのページグメッセージのモニタを可能にするのに十分な、そのクライアントＩＤ、トラフィックまたはページングチャネル、セクタ(sector)、ホッピングシーケンス等を含みうる）を送信する（２０２）ことによって、そのプロキシとして動作するように、分割プロキシサーバのローカルページングプロキシ１０４に指示することができる。例えば、クライアントＩＤを使用して、ローカルページングプロキシ１０４は、クライアント端末１０６をそのローカルプロキシリストに追加しうる（２０４）。次に、ローカルページングプロキシ１０４は、ＩＰネットワークを通してクライアント端末のプロキシ要求をリモートページングプロキシ１０２に転送しうる（２０６）。例えば、プロキシ要求で転送された（２０６）クライアントＩＤを使用して、リモートページングプロキシ１０２は、クライアント端末１０６をリモートプロキシリスト２０８に追加し、次に、肯定応答（２１０）をローカルページングプロキシ１０４に送信して情報の受信を通知することができる。リモートページングプロキシからの肯定応答の受信を受けて、ローカルページングプロキシは、さらに、情報の受信を通知するために（且つ、おそらくは、それがクライアント端末のプロキシとしての機能を果たしていることを通知するためにも）、肯定応答（２１２）をクライアント端末１０６に送信することができる。肯定応答（２１２）の受信後、クライアント端末１０６は、その高電力インターフェースを停止しうる（または、電源が落とされる）（２１４）。
【００４２】
アクセスポイント１１０は、クライアント端末に向けられたページングメッセージ（またはその一部）を受信することができる（２１８）。ページングメッセージの受信後、アクセスポイント１１０は、クライアント端末１０６に向けられたページングメッセージをリモートページングプロキシに転送することができる（２２０）。ページングメッセージを用いて、リモートページングプロキシは、さらに、ページングメッセージに応答するのに十分な情報を受信することができる。リモートページングプロキシ１０２は、そのネットワーク通信インターフェースを通して転送されたページングメッセージを受信し、そのプロキシリストをチェックすることができる（２２２）。例えば、クライアントＩＤを使用して、リモートページングプロキシ１０２は、ページングメッセージがリモートプロキシリスト上のクライアント端末に向けられているか否かを確かめる（２２４）。ページングメッセージが、リモートプロキシリスト上のクライアント端末に向けられている場合、リモートページングプロキシ１０２（あるいは、同じ場所に位置するアクセスポイント１１０）は、例えば、ＩＰネットワークを通して、それが割り当てられるクライアント端末をモニタするページングメッセージをローカルページングプロキシ１０４に転送することができる（２２６）。
【００４３】
１つの特徴において、ページングメッセージが受信されると、ローカルページングプロキシは、ページングメッセージがそのローカルプロキシリスト内のクライアント端末に向けられているか否かを確かめることができる（２２８）。ローカルページングプロキシ１０４は、それがプロキシとしての機能を果たしているクライアント端末１０６にページングメッセージが向けられている場合、その低電力インターフェースを介してページングメッセージを特定のクライアント端末１０６に転送することができる（２３０）。クライアント端末１０６は、受信されたメッセージがページングメッセージであるか否かを決定することができる（２３２）。受信されたページングメッセージは、クライアント端末１０６が、ページングメッセージに直接応答することを可能にするのに十分な情報を含みうることに注意されたい。ページングメッセージが低電力インターフェース上で受信されたことをクライアント端末１０６が決定すると、クライアント端末１０６は、その高電力インターフェースをオンにし（２３４）、ページングメッセージを送信するアクセスポイント１１０に直接応答しうる。ページングメッセージの肯定応答（２３６）は、ダイレクト通信を確立するために、高電力インターフェースを介してクライアント端末１０６からアクセスポイント１１０に送信されうる。
【００４４】
Ｗ−ＣＤＭＡシステムのある例において、肯定応答（２３６）がアクセスポイント１１０によって受信されると、無線リソース接続（ＲＲＣ）接続はセットアップされうる（２３８）。随意的に、クライアント端末１０６が安全な接続を通してアクセスポイント１１０と通信できるように、安全な通信リンクがセットアップされうる（２４０）。最後に、クライアント端末１０６の高電力インターフェースとアクセスポイント１１０との間の通信（例えば、音声またはデータトラフィック）が確立されうる（２４２）。分割プロキシサーバに、１つ以上のクライアント端末１０６のプロキシとして動作するように指示するプロセスは、複数回繰り返されうる。
【００４５】
図３は、クライアント端末における電力節約を容易にするために分割プロキシサーバがプロキシとして動作する無線通信システム３００の別の例を示すブロック図である。この例は、リモートページングプロキシ３０２がどのように集中化されうるかを示す。すなわち、リモートページングプロキシの機能性はアクセスポイント３１０から離されうる。リモートページングプロキシ３０２は、ページングメッセージをモニタし、そのようなページングメッセージが受信されると、そのページングメッセージをローカルページングプロキシ３０４に転送する。この例において、リモートページングプロキシ３０２は、（有線あるいは無線の）ＩＰネットワーク３０８を介してローカルページングプロキシと通信することができる。セルラ通信ネットワーク３０７が、１つ以上のアクセスポイント３１０を介してサービスをクライアント端末３０６に提供しうることに注意されたい。いくつかの実施形態において、セルラ通信ネットワーク３０７は、ＩＰネットワーク３０８内で実施されうる。加えて、いくつかの実施形態において、リモートページングプロキシ３０２は、それがページングメッセージをモニタおよび／または受信できるように、セルラ通信ネットワーク３０７に結合されうる。
【００４６】
クライアント端末３０６は、クライアント端末３０６をそのローカルプロキシリストに追加するローカルページングプロキシ３０４にプロキシ要求を（例えば、その低電力インターフェースを介して）送信することができる。ローカルページングプロキシ３０４は、ＩＰネットワーク３０８を介して、プロキシ要求３１６をリモートページングプロキシ３０２に転送しうる。集中型リモートページングプロキシ３０２は、クライアント端末３０６をそのリモートプロキシリストに追加しうる。プロキシとして動作している時、リモートページングプロキシ３０２は、クライアント端末３０６のためにアクセスポイント３１０からのページングメッセージをモニタし、ＩＰネットワーク３０８を介してその対応ローカルページングプロキシ３０２に直接ページングメッセージを（受信された場合）転送する。
【００４７】
ローカルページングプロキシ３０４がリモートローカルプロキシ３０２からページングメッセージ３１８を受信すると、ローカルページングプロキシは、それが、メッセージを意図されるクライアント端末のプロキシとして動作しているか否かを確かめうる。次に、ローカルページングプロキシ３０４は、その低電力インターフェース３１２を通してページングメッセージ３１８（または、その一部）をクライアント端末３０６に転送しうる。次に、クライアント端末３０６は、その高電力通信インターフェース３１４の電源を入れ、ページングメッセージ３１８を開始したアクセスポイント３１０に直接応答する（３２０）。
【００４８】
図４は、１つ以上の分割プロキシサーバが、ローイングクライアント端末における電力節約を容易にするために、プロキシとして動作しうる無線通信システム４００の例を示すブロック図である。すなわち、クライアント端末４０２は、異なるローカルページングプロキシ４０４および４０６によってサービス提供されうる異なるセル（例えば、異なる無線カバレッジエリア）の間をローミングまたは移動しうる。
【００４９】
最初に、第１のカバレッジエリア内のクライアント端末４０２ａは、そのページングメッセージをモニタおよび転送するためのプロキシとして動作することをローカルページングプロキシ４０４に要求しうる。ローカルページングプロキシを識別する際、クライアント端末４０２ａは、ネットワーク通信インターフェース（ＩＰネットワーク４１２への）および低電力インターフェースの両方を有する潜在的なローカルページングプロキシの識別を試みることができる。１つ以上のローカルページングプロキシがクライアント端末４０２ａによって識別されると、それは、その「プロキシ」として動作する１つのローカルページングプロキシ４０４を、利用可能なローカルページングプロキシのどれが、クライアント端末の低電力インターフェースで測定されるか、知覚される最良または最強の短距離リンクを有するかに基づいて選択しうる。この例において、ローカルページングプロキシＡ ４０４は、ローカルページングプロキシＢ ４０６よりもクライアント端末４０２に近いため、クライアント端末４０２は、そのプロキシとして動作するローカルページングプロキシＡ ４０４を選択しうる。クライアント端末４０２ａは、プロキシ要求Ａ ４１６を選択されたローカルページングプロキシＡ ４０４に送信しうる。そのようなプロキシ要求は、クライアント端末およびページングチャネル（例えば、クライアントＩＤ、ホップシーケンス、ページングチャネル、セクタ等）を識別するのに十分な情報を含みうる。
【００５０】
ローカルページングプロキシＡ ４０４が識別および選択されると、クライアント端末４０２ａおよびローカルページングプロキシＡ ４０４の両方の低電力インターフェースを介した通信リンクが確立またはセットアップされ、ローカルページングプロキシＡ ４０４は、クライアント端末４０２ａをそのローカルプロキシリストに追加する。ローカルプロキシリストに追加されると、ローカルページングプロキシＡ ４０４は、プロキシ要求Ａ ４１６をリモートページングプロキシ４０８に転送することができる。次に、リモートページングプロキシ４０８は、そのリモートプロキシリストにクライアント端末４０２ａを追加する。結果として、クライアント端末４０２ａの高電力インターフェースは、電力節約を容易にするために電源が切られる（例えば、オフにされる）。この例において、リモートページングプロキシ４０８は、クライアント端末４０２が通常その高電力インターフェースを介して通信するセルラ通信ネットワーク４１４のアクセスポイント４１０と同じ場所に配置されることに注意されたい。セルラ通信ネットワークは、無線加入者通信サービスを動作するために、インフラストラクチャ（例えば、アクセスポイント、有線ネットワーク等）を提供しうる。様々な例において、セルラ通信ネットワーク４１４は、ＩＰネットワーク４１２から離れており、別の例において、セルラ通信ネットワーク４１４は、ＩＰネットワーク４１２を通して動作しうる。
【００５１】
選択ローカルページングプロキシＡ ４０４のリモートページングプロキシ４０８は、クライアント端末４０２ａへのページングメッセージのための１つ以上のアクセスポイント４１０（または、セルラ通信ネットワーク４１４）をモニタすることができる。ページングメッセージ４１８の受信を受けて、ページングメッセージは、ＩＰネットワーク４１２を介してリモートページングプロキシ４０８によってローカルページングプロキシA ４０４に送信または転送されうる。次に、ローカルページングプロキシＡ ４０４は、低電力インターフェースを通してページングメッセージ４１８（または、その一部）をクライアント端末４０２ａに転送することができる。低電力通信インターフェースを介したページングメッセージＡ ４１８の受信を受け、クライアント端末４０２ａは、その高電力通信インターフェースの電源を入れ、ページングメッセージ４１８を開始したアクセスポイント４１０に直接応答することができる。
【００５２】
クライアント端末４０２ａは、第１のカバレッジエリアから、ローカルページングプロキシＡ ４０４によってカバーされていない第２のカバレッジエリアにローミングしうる。すなわち、クライアント端末４０２ａは、ローカルページングプロキシＡ ４０４との通信がいまだ有効であるか否かを決定するために、低電力インターフェースを周期的または散在的にモニタしうる。クライアント端末４０２がローカルページングプロキシＡ ４０４から離れると接続を失い、でなければ、その低電力インターフェースを介して、よりよい接続を見つけることができる。第２のカバレッジエリアにおいてサービスが欠如していると、再配置されたクライアント端末４０２ｂは、そのプロキシとして動作することを求めたプロキシ要求ＢをローカルページングプロキシＢ ４０６に送信させる。そのプロキシとして動作するようにローカルページングプロキシＢに要求する際、クライアント端末４０２ｂは、プロキシ要求Ｂ ４１７を選択ローカルページングプロキシＢ ４０６に送信することができる。次に、クライアント端末４０２ｂおよびローカルページングプロキシＢ ４０６の両方の低電力インターフェースを介した通信リンクが確立またはセットアップされ、クライアント端末４０２ｂはローカルプロキシリストに追加されうる。ローカルページングプロキシＢ ４１２は、また、それがクライアント端末４０２ｂの新しいローカルページングプロキシであることをリモートページングプロキシ４０８に知らせる。
【００５３】
新しいローカルページングプロキシＢによって、それがクライアント端末４０２ｂのプロキシとして動作することを知らされると、リモートページング端末４０８は、未来のページングメッセージＢ ４１９（クライアント端末４０２に向けられた）をローカルページングプロキシＢ ４６０に転送しうる。次に、ローカルページングプロキシＢ ４０６は、その低電力インターフェースを通して、ページングメッセージＢ（または、その一部）をクライアント端末４０２ｂに転送しうる。低電力通信インターフェースを介したページングメッセージＢの受信を受けて、クライアント端末４０２ｂは、その高電力通信インターフェースの電源を入れ、ページングメッセージＢ ４１９を開始したアクセスポイント４１０に直接応答しうる。いくつかの実施形態において、実際にページングメッセージを転送するよりもむしろ、リモートページングプロキシ４０８は、アクセスポイント４１０（あるいは、セルラ通信ネットワーク４１４）に、ＩＰネットワーク４１２を介してページングメッセージをローカルページングプロキシに転送するように指示する。
【００５４】
いくつかの場合において、クライアント端末４０２は、セルラ通信ネットワーク４１４のサービスがない領域にローミングしうる（すなわち、それはアクセスポイント４１０と通信することができない）。しかしながら、クライアント端末４０２は、ＩＰネットワーク４１２を介して依然として到達可能である(reachable)。ゆえに、リモートページングプロキシ４０８と、最後に知られていたローカルページグプロキシは、依然として、到来ページングメッセージをクライアント端末に（ＩＰネットワーク４１２を介して）転送することができる。
【００５５】
別の場合において、クライアント端末４０２は、セルラ通信ネットワーク４１４のサービスがない（すなわち、それが、アクセスポイント４１０と通信することができない）、および／または、ローカルページングプロキシの到達可能範囲外の領域ローミングしうる。そのような場合、リモートページングプロキシ４０８または最後に知られていたローカルページングプロキシは、それがクライアント端末に伝達されるまで、到来ページングメッセージを記憶し、あるいは、それを待ち行列に加える。クライアント端末がローカルページングプロキシの到達範囲内に再度入ると、記憶／待機ページングメセージはそれに送信されうる。
【００５６】
図５は、１つ以上のプロキシがクライアント端末における電力節約を容易にすることができる無線通信システムのさらに別の例を示すブロック図である。この例は、異なるネットワーク５０２、５０４、および５０６が、どのように高帯域リンク（例えば、ブロードバンド、Ｅ１／Ｔ１等）によって相互接続され、それによって、通信がそれらの間で実行されるかを示す。各ネットワーク内において、クライアントデバイスの電力節約は、本明細書で記述されるプロキシスキームを使用することによって実施されうる。例えば、モバイル電話ネットワークのための無線セルカバレッジ領域５０４において、複数のモバイル電話（または、別の通信デバイス）がサービスを受ける。この例において、第１のモバイル電話５０８および第２のモバイル電話５１０は、高電力インターフェース（例えば、長距離、高帯域）および低電力インターフェース（例えば、短距離、低帯域）を備えうる。第１のモバイル電話５０８は、第２のモバイル電話５１０が、ページングメッセージを受信および転送するためのローカルページングプロキシとして動作することを要求し、それにより、第１のモバイル電話が、高電力インターフェースの遮断（あるいは、「アウェーク」時間の制限）によって電力節約することを可能にする。この例において、第２のモバイル電話５１０は、リモートページングプロキシからページングメッセージを受信するためのローカルページングプロキシとして動作しうる。ページングメッセージは、通信ネットワーク５０２（ＩＰネットワークおよび／またはセルラ通信ネットワークを含みうる）を介してリモートページングプロキシによって第２のモバイル電話５１０に転送されうる。この例において、リモートページングプロキシは、サービングアクセスポイント５１８と共に配置されるか、あるいは、通信ネットワーク上の別の場所に配置されうる。
【００５７】
別の例において、家、オフィス、あるいは建物の無線ネットワーク５０２は、フェムト／ピコセル５１２によってサービス提供を受けうる。フェムト／ピコセル５１２は、局所化された限定エリア（例えば、家、オフィス、または建物）内の無線サービスを複数のモバイル電話５１４および５１６（または、別の通信デバイス）に提供することができる。この例において、フェムト／ピコセル５１２は、通常、サービスを受けているモバイル電話５１４および５１６の高電力インターフェースと通信するために使用される高電力インターフェースと、それがモバイル電話５１４および５１６の対応低電力インターフェースと通信することができる低電力インターフェース（例えば、短距離、低帯域、または二次インターフェース）の両方を有する。このように、モバイル電話が、フェムト／ピコセル５１２をそのローカルページングプロキシとして指定する（且つ、モバイル電話の高帯域インターフェースを遮断する）場合、フェムト／ピコセル５１２は、それらの低電力インターフェースを通してページングメッセージを転送することができる。ページングメッセージは、通信ネットワーク５０２（ＩＰネットワークおよび／またはセルラ通信ネットワークを含みうる）を介し、リモートページングプロキシによってフェムト／ピコセル５１２に転送されうる。
【００５８】
[リモートページングプロキシ]
図６は、クライアント端末における電力節約を容易にするためにプロキシとして動作するように構成された分割プロキシサーバのリモートページングプロキシの例のブロック図である。リモートページングプロキシ６０２は、処理回路６０４および１つ以上のネットワーク通信インターフェース６０６を含みうる。ネットワーク通信インターフェース６０６は、ＩＰネットワークおよび／またはセルラ通信ネットワークを通して通信するために使用されうる。例えば、リモートページングプロキシ６０２は、通信的に、ローカルページングプロキシ６１０に（例えば、ＩＰネットワークのような第１のネットワークを通して）リンクされうる。加えて、リモートページングプロキシ６０２は、通信的に、アクセスポイントおよび／またはセルラネットワークインフラストラクチャ６０８に（例えば、セルラ通信ネットワークのような第２のネットワークを通して）リンクされうる。
【００５９】
動作の１つのモードにおいて、リモートページングプロキシ６０２は、そのネットワーク通信インターフェースを介してクライアントプロキシリスト６１４上で識別されるクライアント端末へのページングメッセージのための１つ以上のアクセスポイントをモニタするように構成されうる。すなわち、リモートページングプロキシ６０２は、１つ以上のクライアント端末のプロキシとして動作することを認めうる。そのようなプロキシモードにおいて、リモートページングプロキシ６０２は、それがプロキシとして動作することを認めたクライアント端末に向けられたページングメッセージをモニタまたは受信するために、そのネットワーク通信インターフェースを使用しうる。それがプロキシとして動作しているクライアント端末に向けられたページンメッセージが受信されると、リモートページングプロキシ６０２は、そのネットワーク通信インターフェース６０８を通してそのページングメッセージの全てまたは一部を、後にそのメッセージを適切なクライアント端末に転送するローカルページングプロキシ６１０に転送しうる。
【００６０】
図７は、クライアント端末における電力節約を容易にするために、リモートページングプロキシで動作可能な方法を示すフロー図である。リモートページングプロキシがクライアント端末のプロキシとして動作しうることを示すプロキシ要求通知がローカルページングプロキシから受信されうる（７０２）。プロキシ要求通知は、リモートページングプロキシがクライアント端末へのページングメッセージをモニタすることを可能にするのに十分なクライアント端末と関連付けられたクライアント端末識別子および別の情報（例えば、ホップシーケンス、トラフィック／ページングチャネル、セクタ等）を含みうる。そのような通知は、通常クライアント端末が通信を行う第１の通信ネットワーク（例えば、セルラネットワーク）とは異なる第2の通信ネットワーク（例えば、ＩＰネットワーク）を介して受信されうる。次に、クライアント端末は、リモートページングプロキシ上のリモートプロキシリストに加えられ、さらに、ローカルページングプロキシと関連付けられる（７０４）。これは、リモートページングプロキシが、後に、受信されたページングメッセージを正確なローカルページングプロキシに転送することを可能にする。加えて、リモートページングプロキシは、クライアント端末のプロキシとして動作するための、ローカルページングプロキシからの通知を確認しうる（７０６）。そのような確認は、そのページングメッセージがモニタされうることを知って、クライアント端末が高電力（または一次）インターフェースを遮断できるように、クライアント端末を通る。
【００６１】
次に、リモートページングプロキシは、クライアント端末に向けられたページングメッセージのための第１の通信ネットワークをモニタしうる（７０８）。例えば、リモートプロキシ端末は、第１の通信ネットワーク上でページングメッセージを直接的にアクセスポイントから、または、別の端末から受信することができる。あるいは、リモートプロキシ端末は、ページングメッセージを獲得するために、アクセスポイント（または、第１の通信ネットワーク）からのブロードキャスト（無線の）をモニタする。
【００６２】
リモートページングプロキシは、受信されたページングメッセージがリモートプロキシリスト上のクライアント端末に向けられたものか否かを決定しうる（７１０）。リモートプロキシリスト上のクライアント端末に向けられたページングメッセージが受信されない場合、リモートページングプロキシは、そのネットワーク通信インターフェースを介してクライアント端末へのページングメッセージについての第１の通信ネットワークをモニタし続けることができる（７０８）。リモートページングプロキシが、リモートプロキシリスト上のクライアント端末を対象としたページングメッセージを受信すると、リモートページングプロキシは、第２の通信ネットワーク（例えば、ＩＰネットワーク）を介して、獲得されたページングメッセージコンテンツの少なくとも一部をローカルページングプロキシに送信または転送する（７１２）。ページングメッセージの一部は、受信側のクライアント端末が、第１の通信ネットワークのアクセスポイントへのページングメッセージに直接応答することを可能にするのに十分でありうる。転送されるページングメッセージは、アクセスポイントとの通信を確立するために、クライアント端末によって使用される任意の別の情報と共に、セクタ、トラフィック、または周波数チャネルを含むがそれに限定されない。
【００６３】
ページングメッセージがローカルページングプロキシに転送されると（低電力インターフェースを通してクライアント端末に転送するために）、クライアント端末は、リモートページングプロキシのリモートクライアントプロキシリストから除かれうる（７１４）。随意的に、リモートページングプロキシは、新しい通知が新しいローカルページングプロキシから受信されると、ローカルページングプロキシから新しいローカルページングプロキシにクライアント端末についての転送情報を更新することができる（７０７）。
【００６４】
[ローカルページングプロキシ]
図８は、ローカルページングプロキシがサービス提供をするクライアント端末における電力節約を容易にするために、プロキシとして動作するように構成されたローカルページングプロキシの例のブロック図である。ローカルページングプロキシ８０２は、リモートページングプロキシ８１２と（例えば、ＩＰネットワークを介して）通信するための第１の通信インターフェース８０６を含みうる。ローカルページングプロキシ８０２は、さらに、１つ以上のクライアント端末（例えば、モバイル電話等）と通信するための第２の通信インターフェース８０８を含みうる。第２の通信インターフェース８０８は、無線の低電力通信インターフェースでありうる。処理回路８０４は、第１および第２の通信インターフェース８０６および８０８を通して送信および／または受信を制御するように構成されうる。例えば、ローカルページングプロキシ８０２は、プロキシ要求通知を１つ以上のクライアント端末から受信する。結果として、ローカルページングプロキシ８０２は、１つ以上の要求元クライアント端末をローカルプロキシリスト８１０に追加する。ローカルページングプロキシ８０２は、さらに、プロキシ要求通知をリモートページングプロキシ８１２に送信する。
【００６５】
ローカルページングプロキシ８０２が第１の通信インターフェース８０６を介してページングメッセージを受信すると、それがローカルプロキシリスト８１０内のクライアント端末に向けられたものか否かをチェックする。そうである場合、ローカルページングプロキシ８０２は、二次通信インターフェース８０８（例えば、低電力通信インターフェース）を介してページングメッセージ（または、その一部）を対象のクライアント端末に送信する。それによって、クライアント端末はページングメッセージに直接応答することができる。そうではない場合、アクセスポイント８０２はそのページングメッセージを廃棄する。
【００６６】
ローカルページングプロキシは、二次通信インターフェース８０８を介してクライアント端末の存在をモニタすることができる。クライアント端末が、もはやローカルページングプロキシ８０２によって二次通信インターフェース８０８を介して到達可能ではないと決定されると、ローカルページングプロキシ８０２は、クライアント端末のプロキシとしての動作を停止しうる。
【００６７】
別の特徴に従って、プロキシ要求は、サービスエリア外に移動するクライアント端末によってトリガされうる。結果として、ローカルページングプロキシ８０２は、クライアント端末がサービスエリア外に移動したと決定されると、クライアント端末に後で伝達するために、受信されたページングメッセージの一部を記憶しうる。
【００６８】
さらに別の特徴に従って、クライアント端末は、それ自体がOut of Service（ＯＯＳ）エリアにあることを知りうる。そのような場合において、クライアント端末は、プロキシ（あるいは、スリープ）モードで動作しうる（または、そのモードに入る）。すなわち、クライアント端末はオフにされるか、あるいは使用中止になり、もはやセルラネットワークとの通信状態にない。結果として、クライアント端末は、セルラネットワークの獲得を試みず、代わりとして、それがローカルページングプロキシから通知またはメッセージを受信するまで待つ。
【００６９】
クライアント端末がプロキシモードの場合、ローカルページングプロキシは、リモートページングプロキシからのページングメッセージをモニタし続けうる。クライアント端末へのページングメッセージを検出すると、ローカルページングプロキシは、クライアント端末に到来ページングメッセージを知らせることができる。クライアント端末が、ローカルページングプロキシによって、到来ページングメッセージを知らされると、クライアント端末はオンになり、セルラネットワークとの通信の再獲得または再確立を行う。クライアントが時間内にセルラネットワークとの通信を成功裏に再獲得または再確立できない場合、クライアント端末は、続いて、欠落ページングメッセージを知らされうる。到来（または、欠落）ページングメッセージのローカルページングについての通知をプロキシから受信する時にのみオンになることによって、クライアント端末は、それがメッセージをチェックするために周期的にオンになる必要がないため、電力を節約することができる。
【００７０】
一例に従って、ローカルページングプロキシ８０２およびリモートページングプロキシは、第１の通信ネットワークを通して（例えば、一次通信インターフェース８０６を介して）通信することができ、ページングメッセージは、二次通信ネットワーク介した（例えば、無線通信リンクを介した）クライアント端末との通信セッションを開始するための要求である。
【００７１】
図９は、ローカルページングプロキシがサービス提供するクライアント端末における電力節約を容易にするためにローカルページングプロキシにおいて動作可能な方法を示すフロー図である。ローカルページングプロキシがクライアント端末のプロキシとして動作するべきであることを示すプロキシ要求通知がクライアント端末から受信されうる（９０２）。そのような通知は、ローカルページングプロキシの二次通信インターフェース(低電力インターフェース)上で受信されうる。ローカルページングプロキシは、クライアント端末をローカルプロキシリストに追加しうる（９０４）。ローカルページングプロキシは、リモートページングプロキシがクライアント端末のためのプロキとして動作すべきであることを示すメッセージをリモートページングプロキシに送信することができる（９０６）。
【００７２】
ローカルページングプロキシは、第１の通信インターフェースを通してページングメッセージについての第１の通信インターフェースをモニタすることができる（９０８）。そのようなネットワーク通信インターフェースは、ローカルページングプロキシを拡張ネットワークインフラストラクチャに結合しうる。ローカルページングプロキシは、受信されたページングメッセージがローカルプロキシリスト上のクライアント端末に向けられているか否かを（随意的に）決定しうる（９１０）。対象のクライアント端末がクライアントプロキシリストにない場合、ローカルページングプロキシは、リモートページングプロキシからのページングメッセージをモニタし続ける（９０８）。そうでなく、対象のクライアント端末がローカルプロキシリストにある場合、ローカルページングプロキシは、第２の通信インターフェース（例えば、低電力インターフェース）を介してページングメッセージの少なくとも一部をクライアント端末に送信する（９１２）。送信されたページングメッセージの一部は、受信側のクライアント端末が、ページングメッセージへの応答を、直接送信元のアクセスポイントに行うことを可能にするのに十分である。ページングメッセージが対応するクライアント端末に転送されると、クライアント端末は、ローカルページングプロキシのローカルプロキシリストから除かれうる（９１４）。一実施形態において、ローカルページングプロキシおよびリモートページングプロキシは、第１の通信ネットワークを通して通信することができ、ページングメッセージは、第２の通信ネットワークを介したクライアント端末との通信セッションを開始するための要求である。
【００７３】
[クライアント端末]
図１０は、分割プロキシサーバ使用することによる電力節約のために構成されたクライアント端末の例のブロック図である。クライアント端末１００２は、小さいおよび／または低電力のマイクロプロセッサのような処理回路１００４を含みうる。クライアント端末１００２は、さらに、ローカルページングプロキシ１０１２にリンクすることなど、クライアント端末１００２を第１の無線ネットワーク上のデバイスに結合するために使用される低電力通信インターフェース１００６を含みうる。例えば、低電力通信インターフェース１００６は、ブルートゥースに準拠したネットワークを通してなど、短距離通信に使用されうる。高電力通信インターフェース１０１０は、クライアント端末１００２が、ネットワークアクセスポイント１０１４とリンクすることなど、第２の無線ネットワーク上のデバイスと通信することを可能にするために使用されうる例えば、高電力通信インターフェース１０１０は、ＣＤＭＡに準拠したネットワークを通してなど、長距離通信に対して使用されうる。クライアント端末１００２は、電池型であり、そのようなバッテリが提供可能な電力量は制限される。
【００７４】
従来技術のアプローチにおいて、クライアント端末の高電力通信インターフェースは、少なくともある時間インターバルの間、ページングメッセージに対してリスンするためにオンにされ、クライアント端末の内臓電源（例えば、バッテリ）から電力を排出させる。例えば、ページングチャネルは、ナンバリングされたフレームに分割されうる。クライアント端末は、特定のフレームが割り当てられ、それ上で端末固有メッセージを受信することができる。そのようなページングチャネルの場合、クライアント端末は、不連続受信（DRX）動作に入ことができ、それによって、クライアント端末は、継続的というよりはむしろ周期的に、高電力インターフェースを使用してメッセージのためのページングチャネルをモニタする。ＤＲＸ動作の間、クライアント端末は、割り当てられたフレームの前に「スリープ」状態から起きて「アウェーク」状態に入り、メッセージのためのページングチャネルを処理およびモニタし、さらに、追加の通信が必要でない場合はスリープ状態に入る。そのような従来技術のクライアント端末がページングメッセージをモニタするために継続的に電源を入れられなくても、既定のインターバルで電源を入れられ、それは、クライアントデバイスの内臓バッテリを排出する。
【００７５】
対照的に、クライアント端末１００２は、リモートページングプロキシおよびローカルページングプロキシを含む分割プロキシサーバを使用することによって、改善された電力節約を達成するように構成されうる。クライアント端末１００２は、そのページングメッセージをモニタするために、ローカルページングプロキシ１０１２がプロキシとして動作することをオフにする。次に、クライアント端末１００２は、電力を節約するために、その高電力通信インターフェース１０１０の電源を切る。次に、クライアント端末は、ローカルページングプロキシがクライアント端末１００２に向けられたページングメッセージの少なくとも一部を転送したか否かを決定するために、低電力通信インターフェース１００６をモニタする。ページングメッセージの少なくとも一部が低電力通信インターフェース１００６上で受信されると、クライアント端末１００２は、その高電力通信インターフェース１０１０を介して、ページングメッセージを開始または送信したアクセスポイント１０１４に応答する。
【００７６】
図１１は、分割プロキシサーバを使用することによって、電力節約のためにクライアント端末において動作可能な方法を示すフロー図である。最初に、ローカルページングプロキシがクライアント端末のプロキシとして動作すべきであることを示すメッセージが、ローカルページングプロキシに送信されうる（１１０２）。次に、クライアント端末は、その高電力通信インターフェースの電源を切りうる（１１０４）。クライアント端末は、周期的に、ローカルページングプロキシが依然としてそのプロキシとして動作することを検証しうる（１１０６）。ローカルページングプロキシが、そのプロキシとしての機能をもはや果たしていない場合、ステップ１１０２に関して上で示されたように、新しいローカルページングプロキシを探しうる。あるいは、ローカルページングプロキシがクライアント端末のプロキシプロキシとして依然として動作している場合、クライアント端末は、低電力通信インターフェースを通してローカルページングプロキシからのページングメッセージに対してリスンする（１１０８）。クライアント端末は、ページングメッセージがページング情報と共に受信されるか否かを決定することができる（１１１０）。共に受信されない場合、クライアント端末は、その低電力通信インターフェースを通してローカルページングプロキシからページングメッセージに対してリスンし続けうる。そうでなければ、クライアント端末は、その高電力通信インターフェースの電源を入れる（１１１２）。高電力通信インターフェースに電源が入れられると、クライアント端末は、ページングメッセージを開始したアクセスポイントに直接応答するために、それを使用しうる（１１１４）。
【００７７】
[同じ場所に配置されたアクセスポイントとリモートページングプロキシ]
図１２は、リモートページングプロキシがサービス提供するクライアント端末における電力節約を容易にするために、プロキシとして動作するように構成されたリモートページングプロキシと同じ場所に配置されたアクセスポイントの例のブロック図である。アクセスポイント／リモートページングプロキシ１２０２は、例えば、それがサービス提供するクライアント端末への／からの通信を容易にするために、ネットワーク通信インターフェース１２１６を介して通信ネットワーク１２１８にリンクするフェムトセル、ピコセル、基地局、または別のネットワークデバイスでありうる。アクセスポイント／リモートページングプロキシ１２０２は、さらに、アクセスポイント／リモートページングプロキシ１２０２によってサービスを受けているクライアント端末（例えば、モバイル電話等）と通信するために、処理回路１２０４および高電力通信インターフェース１２０６（例えば、ＣＤＭＡに準拠したトランシーバなどを通長距離トランシーバ）を含みうる。
【００７８】
アクセスポイント／リモートページングプロキシ１２０２が、ネットワーク通信インターフェース１２１６を介してページングメッセージを受信すると、それは、そのページングメッセージがリモートプロキシリスト１２１０内のクライアント端末に向けられたものか否かをチェックする。そうである場合、アクセスポイント／リモートページングプロキシ１２０２は、対象のクライアント端末に転送するために、ネットワーク通信インターフェース１２１６を介してページングメッセージ（または、その一部）をローカルページングプロキシ１２２０に送信する。そうでない場合、アクセスポイント／リモートページングプロキシ１２０２は、高電力通信インターフェース１２１２を介してページングメッセージを対象のクライアント端末に送信する。そのようなページングメッセージに応答して、アクセスポイント／リモートページングプロキシ１２０２は、受信側の対象クライアント端末からの高電力通信インターフェース１２１２を介して応答を受信しうる。
【００７９】
図１３は、アクセスポイント／リモートページングプロキシがサービス提供するクライアント端末における電力節約を容易にするためのアクセスポイント／リモートページングプロキシにおいて動作可能な方法を示すフロー図である。アクセスポイント／リモートページングプロキシがクライアント端末のプロキシとして動作するべきであることを示す通知がローカルページングプロキシから受信されうる(１３０２)。そのような通知は、ネットワーク通信インターフェース上でローカルページングプロキシから受信されうる。アクセスポイント／リモートページングプロキシは、クライアント端末を、リモートクライアントプロキシリストに追加しうる（１３０４）。アクセスポイント／リモートページングプロキシは、ネットワーク通信インターフェースを通してページングメッセージを受信しうる（１３０６）。そのようなネットワーク通信インターフェースは、アクセスポイント／リモートページングプロキシを拡張ネットワークインフラストラクチャに結合しうる。アクセスポイント／リモートページングプロキシは、受信されたページングメッセージがリモートクライアントプロキシリスト内のクライアント端末に向けられたものか否かを決定しうる（１３０８）。対象のクライアント端末がリモートクライアントプロキシリストにない場合、ページングメッセージは、高電力（長距離）通信インターフェースを介して送信されうる（１３１０）。そうではなく、対象のクライアント端末がリモートクライアントプロキシリストにある場合、アクセスポイント／リモートページングプロキシは、ページングメッセージコンテンツの少なくとも一部を、ローカルページングプロキシを介して対象のクライアント端末に送信する（１３１２）。ページングメッセージの一部は、受信側のクライアント端末が、にページングメッセージへの応答を、直接送信側のアクセスポイント行うことを可能にするのに十分である。ページングメッセージがローカルページングプロキシを介して対応クライアント端末に転送されると、クライアント端末は、アクセスポイント／リモートページングプロキシのリモートクライアントプロキシリストから除かれうる（１３１４）アクセスポイント／リモートページングプロキシは、高電力通信インターフェースを介してクライアント端末からのページングメッセージへの応答を受信しうる（１３１６）。
【００８０】
クライアント端末の高電力通信インターフェースの電源を切り、クライアント端末へのページングメッセージをモニタするためにリモートページングプロキシとローカルページングプロキシを有する分割プロキシサーバ使用することによって、電力が節約される。より少ない電力の消費は、クライアント端末が、所与のバッテリ充電でより長く動作することを可能にし、それによって、クライアント端末のスタンバイ時間を拡張する。クライアント端末が典型的にモバイルテレコミュニケーションにおいて使用されるため、クライアント端末のバッテリを再充電または入れ替えることなく、拡張された時間期間に入ることがしばしば必要である。従って、さらなる便利性を提供し、バッテリの消耗によるページングメッセージの紛失の可能性を減らすために、所与のバッテリサイズに対するスタンバイ時間の拡張が大いに望まれうる。
【００８１】
従来技術のアプローチにおいて、クライアント端末は、前に記述されたように、ほとんどの時間を遊休モードで費やす例えば、Ｗ−ＣＤＭＡの場合、遊休時間は９９％にも及ぶ。しかしながら、遊休モードにもかかわらず、クライアント端末は、関連ページングチャネル上にページングメッセージに対してリスンするために高電力通信インターフェースをオンとオフとに循環させることから、電力を消費している。結果として、上に議論されたように、ＣＤＭＡ（Ｗ−ＣＤＭＡを含む）に準拠した従来技術のクライアント端末の場合、遊休モードにおける電流消費は２．５から３ｍＡの範囲内である。
【００８２】
しかしながら、より長い時間、クライアント端末の高電力通信インターフェースを遮断し、低電力通信インターフェースを介したローカルページングプロキシからのページング通知に依存することによって、電力消費は非常に減らされうる。例えば、低電力通信インターフェース（例えば、ページスキャンモードのブルートゥースインターフェース）は、０．３ｍＡくらいの少なさであり、スニッフモードが使用されるとさらに減らされうる。例えば、電流消費は、低電力通信インターフェースを使用して、１．３秒のスニッフ周期で０．０３ｍＡに減らされうる。遊休電力消費を減らすこと、および／または、クライアント端末の高電力通信インターフェースを完全にオフにすることによって、内蔵バッテリまたは電源の寿命が延長されうる。
【００８３】
当業者は、一般的に、この開示において記述される処理の大半が同様の方式で実施されうることを認識するであろう。任意の回路あるいは回路セクションは、単独で、あるいは、１つ以上のプロセッサを備える集積回路の一部として組み合わせて実施されうる。１つ以上の回路が、集積回路、アドバンスＲＩＳＣ機械（ＡＲＭ）プロセッサ、デジタル信号プロセッサ（ＤＳＰ）、汎用プロセッサ等で実施されうる。
【００８４】
図１、２、３、４、５、６、７、８、９、１０、１１、１２および／または１３に示された１つ以上のコンポーネント、ステップ、および／または機能は、再配列され、および／または、単一のコンポーネント、ステップ、または機能へと結合され、あるいは、いくつかのコンポーネント、ステップ、または機能に組み込まれうる。さらなるエレメント、コンポーネント、ステップ、および／または機能が追加されうる。図１、３、４、５、６、８、１０、および／または１２に示された装置、デバイス、および／または、コンポーネントは、図２、７、９、１１、および／または１３に記述された１つ以上の方法、特徴、またはステップを実行するように構成されうる。本明細書に記述された新たなアルゴリズムは、ソフトウェアで効率的に実施され、および／または、ハードウェアに組み込まれうる。
【００８５】
当業者はさらに、本明細書に開示された実施形態と関連して記述されている様々な実例となる論理ブロック、モジュール、回路、アルゴリズムステップが、電子ハードウェア、コンピュータソフトウェアまたは両方の組み合わせとして実施されることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、または、ソフトウェアとしてそのような機能性が実施されるか否かは、特定のアプリケーションとシステム全体に課された設計制約とに依存する。
【００８６】
本明細書に記述された様々な特徴は異なるシステムで実施されうる。前述の実施形態は単なる例であり、限定するものとして解釈されないことに注意されたい。実施形態の記述は、例示を目的としており、特許請求の範囲を限定することを企図しない。このように、本教示は、別のタイプの装置に容易に適用され、さらに、多数の代替例、変更例、または変化形は当業者にとって明白であろう。
以下に、本願出願の当初の特許請求の範囲に記載された発明を付記する。
［Ｃ１］
ローカルページングプロキシデバイスであって、
リモートページングプロキシと通信するための第１の通信インターフェースと、
クライアント端末と通信するための第２の通信インターフェースと、
前記第１の通信インターフェースおよび前記第２の通信インターフェースに結合された処理回路と
を備え、前記処理回路は、
前記クライアント端末のプロキシとして動作するための通知を前記クライアント端末から受信し、
前記クライアント端末へのページングメッセージのためにプロキシとして動作するように前記リモートページングプロキシに通知するために、メッセージを前記リモートページングプロキシに送信し、
前記リモートページングプロキシからの前記クライアント端末へのページングメッセージのための前記第１の通信インターフェースをモニタし、
前記第２の通信インターフェースを介して、受信されたページングメッセージの少なくとも一部を前記クライアント端末に送信するように構成される
ローカルページングプロキシデバイス。
［Ｃ２］
前記処理回路は、前記クライアント端末をローカルプロキシリストに加えるように更に構成される、Ｃ１に記載のデバイス。
［Ｃ３］
前記処理回路は、前記ページングメッセージの一部が前記クライアント端末に送信された後に、前記クライアント端末を前記ローカルプロキシリストから除くように更に構成される、Ｃ２に記載のデバイス。
［Ｃ４］
前記第１の通信インターフェースは、ネットワーク通信インターフェースであり、前記第２の通信インターフェースは無線通信インターフェースである、Ｃ１に記載のデバイス。
［Ｃ５］
前記クライアント端末からの前記受信された通知は、前記クライアント端末と関連付けられたクライアント識別子を含む、Ｃ１に記載のデバイス。
［Ｃ６］
前記リモートページングプロキシによって送信された前記ページングメッセージの一部は、前記クライアント端末が、前記ページングメッセージへの応答を直接アクセスポイントに行うのに十分である、Ｃ１に記載のデバイス。
［Ｃ７］
前記ページングメッセージの一部は、ページングチャネルおよびセクタのうちの少なくとも１つを含む、Ｃ１に記載のデバイス。
［Ｃ８］
前記処理回路は、
前記第２の通信インターフェースを介して前記クライアント端末の存在をモニタし、
前記クライアント端末が、前記第２の通信インターフェースを介して前記ローカルページングプロキシによってもはや到達不可能であると決定されると、前記クライアント端末のプロキシとしての動作を停止する
ように更に構成される、Ｃ１に記載のデバイス。
［Ｃ９］
前記処理回路は、前記クライアント端末がサービスエリア外に移動したと決定された場合に、前記クライアント端末に後で伝達するために、前記受信されたページングメッセージの一部を記憶するように更に構成される、Ｃ１に記載のデバイス。
［Ｃ１０］
前記プロキシ要求は、サービスエリア外に移動する前記クライアント端末によってトリガされる、Ｃ１に記載のデバイス。
［Ｃ１１］
前記ローカルプロキシデバイスおよびリモートページングプロキシは、第１の通信ネットワークを通して通信し、前記ページングメッセージは、第２の通信ネットワークを介して前記クライアント端末と通信セッションを開始するための要求である、Ｃ１に記載のデバイス。
［Ｃ１２］
前記クライアント端末は、受信されたページングメッセージについて知らされた場合にのみ電源が入る、Ｃ１に記載のデバイス。
［Ｃ１３］
ローカルページングプロキシ上で動作可能な方法であって、
クライアント端末へのページングメッセージのためのプロキシとして動作するための通知を前記クライアント端末から受信することと、
前記クライアント端末のプロキシとして動作するようにリモートページングプロキシに知らせるために、メッセージを前記リモートページングプロキシに送信することと、
前記リモートページングプロキシから前記クライアント端末へのページングメッセージのための第１の通信インターフェースをモニタすることと、
第２の通信インターフェースを介して、受信されたページングメッセージの少なくとも一部を前記クライアント端末に送信することと
を備える方法。
［Ｃ１４］
前記クライアント端末をローカルプロキシリストに加えることと、
前記ページングメッセージの一部が前記第２の通信インターフェースを介して前記クライアント端末に送信された後に、前記クライアント端末を前記ローカルプロキシリストから除くことと
を更に備える、Ｃ１３に記載の方法。
［Ｃ１５］
前記ローカルページングプロキシは、前記リモートページングプロキシからのページングメッセージをモニタすることによって、複数のクライアント端末のプロキシとして動作する、Ｃ１３に記載の方法。
［Ｃ１６］
前記第２の通信インターフェースを介して前記クライアント端末の存在の継続をモニタすることと、
前記クライアント端末が、前記第２の通信インターフェースを介して前記ローカルページングプロキシによってもはや到達不可能であると決定されると、前記クライアント端末のプロキシとしての動作を停止することと
を更に備える、Ｃ１３に記載の方法。
［Ｃ１７］
前記クライアント端末がサービスエリア外に移動したと決定された場合に、前記クライアント端末に後で伝達するために、前記受信されたページングメッセージの一部を記憶することを更に備える、Ｃ１３に記載の方法。
［Ｃ１８］
前記ローカルプロキシデバイスおよびリモートページングプロキシは、第１の通信ネットワークを通して通信し、前記ページングメッセージは、第２の通信ネットワークを介して前記クライアント端末と通信セッションを開始するための要求である、Ｃ１３に記載の方法。
［Ｃ１９］
前記クライアント端末は、受信されたページングメッセージについて知らされた場合にのみ電源が入る、Ｃ１３に記載の方法。
［Ｃ２０］
ローカルページングプロキシデバイスであって、
クライアント端末のプロキシとして動作するための通知を前記クライアント端末から受信するための手段と、
前記クライアント端末のプロキシとして動作するようにリモートページングプロキシに知らせるために、メッセージを前記リモートページングプロキシに送信するための手段と、
前記リモートページングプロキシからの前記クライアント端末へのページングメッセージのための第１の通信インターフェースをモニタするための手段と、
第２の通信インターフェースを介して、受信されたページングメッセージの少なくとも一部を前記クライアント端末に送信するための手段と、
を備えるローカルページングプロキシデバイス。
［Ｃ２１］
ローカルページングプロキシデバイス上で動作可能な１つ以上の命令を有するプロセッサ可読媒体であって、プロセッサによって実行されると、前記プロセッサに、
クライアント端末のプロキシとして動作するように通知を前記クライアント端末から受信させ、
前記クライアント端末のプロキシとして動作することをリモートページングプロキシに知らせるために、メッセージを前記リモートページングプロキシに送信させ、
前記リモートページングプロキシからの前記クライアント端末へのページングメッセージのための第１の通信インターフェースをモニタさせ、
第２の通信インターフェースを介して、受信されたページングメッセージの少なくとも一部を前記クライアント端末に送信させる、
プロセッサ可読媒体。

［Ｃ22］
処理回路を備えるプロセッサであって、前記処理回路は、
クライアント端末のプロキシとして動作するための通知を前記クライアント端末から受信することと、
前記クライアント端末のプロキシとして動作するようにリモートページングプロキシに知らせるために、メッセージを前記リモートページングプロキシに送信することと、
前記リモートページングプロキシからの前記クライアント端末へのページングメッセージのための第１の通信インターフェースをモニタすることと、
第２の通信インターフェースを介して、受信されたページングメッセージの少なくとも一部を前記クライアント端末に送信することと
に適している、プロセッサ。
［Ｃ２３］
リモートページングプロキシデバイスであって、
第１および第２の通信ネットワークを通して通信するための少なくとも１つの通信インターフェースと、
前記少なくとも１つの通信インターフェースに結合された処理回路と
を備え、前記処理回路は、
クライアント端末へのページングメッセージのためのプロキシとして動作するための通知をローカルページングプロキシから受信し、
前記クライアント端末に向けられたページングメッセージのための前記第１の通信ネットワークをモニタし、
前記第２の通信インターフェースを介して、獲得されたページングメッセージの少なくとも一部を前記ローカルページングプロキシに送信する
ように構成されるリモートページングプロキシデバイス。
［Ｃ２４］
前記処理回路は、前記クライアント端末をリモートプロキシリストに加え、それを前記ローカルページングプロキシと関連付けるように更に構成される、Ｃ２３に記載のデバイス。
［Ｃ２５］
前記処理回路は、前記ページングメッセージの一部が前記ローカルページングプロキシに送信された後に、前記クライアント端末を前記リモートプロキシリストから除くように更に構成される、Ｃ２４に記載のデバイス。
［Ｃ２６］
ページングメッセージは、前記第１の通信ネットワークを介した通信セッションを開始するための要求である、Ｃ２３に記載のデバイス。
［Ｃ２７］
前記第１の通信ネットワークは、前記クライアント端末への無線接続性を容易にする無線ネットワークを含む、Ｃ２３に記載のデバイス。
［Ｃ２８］
前記第１の通信ネットワークの少なくとも一部は、前記第２の通信ネットワーク内で動作する、Ｃ２３に記載のデバイス。
［Ｃ２９］
前記送信されたページングメッセージの一部は、前記クライアント端末が、前記ページングメッセージへの応答を、前記第１の通信ネットワークのアクセスポイントに直接行うのに十分である、Ｃ２１に記載のデバイス。
［Ｃ３０］
前記処理回路は、前記ローカルページングプロキシからの、前記クライアント端末のプロキシとして動作するための前記通知を確認すように更に構成される、Ｃ２３に記載のデバイス。
［Ｃ３１］
前記処理回路は、新しい通知が新しいローカルページングプロキシから受信されると、前記クライアント端末についての転送情報を前記ローカルページングプロキシから前記新しいローカルページングプロキシに更新するように更に構成される、Ｃ２３に記載のデバイス。
［Ｃ３２］
前記リモートページングプロキシデバイスは、無線通信サービスを前記クライアント端末に提供する前記第１の通信ネットワークのためのアクセスポイントと同じ場所に配置される、Ｃ２３に記載のデバイス。
［Ｃ３３］
前記リモートプロキシ端末は、前記獲得されたページングメッセージを直接前記アクセスポイントから受信する、Ｃ３２に記載のデバイス。
［Ｃ３４］
前記リモートプロキシ端末は、前記ページングメッセージを獲得するために前記アクセスポイントからのブロードキャストをモニタする、Ｃ３２に記載のデバイス。
［Ｃ３５］
リモートページングプロキシ上で動作可能な方法であって、
クライアント端末へのページングメッセージのためのプロキシとして動作するための通知をローカルページングから受信することと、
前記クライアント端末に向けられたページングメッセージのための第１の通信ネットワークをモニタすることと、
第２の通信インターフェースを介して、獲得されたページングメッセージの少なくとも一部を前記ローカルページングプロキシに送信することと
を備える方法。
［Ｃ３６］
前記クライアント端末をリモートプロキシリストに加え、それを前記ローカルページングプロキシと関連付けることを更に備える、Ｃ３５に記載の方法。
［Ｃ３７］

前記ページングメッセージの一部が前記ローカルページングプロキシに送信された後に、前記クライアント端末を前記リモートプロキシリストから除くことを更に備える、Ｃ３６に記載の方法。
［Ｃ３８］
前記ページングメッセージは、前記第１の通信ネットワークを介して通信セッションを開始するための要求である、Ｃ３５に記載の方法。
［Ｃ３９］
前記第１の通信ネットワークは、前記クライアント端末への無線接続性を容易にする無線ネットワークを含む、Ｃ３５に記載の方法。
［Ｃ４０］
前記第１の通信ネットワークの少なくとも一部は、前記第２の通信ネットワーク内で動作する、Ｃ３５に記載の方法。
［Ｃ４１］
前記送信されたページングメッセージの一部は、前記クライアント端末が、前記ページングメッセージへの応答を、前記第１の通信ネットワークのアクセスポイントに直接行うのに十分である、Ｃ３５に記載の方法。
［Ｃ４２］
前記クライアント端末のプロキシとして機能するための、前記ローカルページングプロキシからの前記通知を確認することを更に備える、Ｃ３５に記載の方法。
［Ｃ４３］
新しい通知が新しいローカルページングプロキシから受信されると、前記クライアント端末についての転送情報を前記ローカルページングプロキシから前記新しいローカルページングプロキシに更新することを更に備える、Ｃ３５に記載の方法。
［Ｃ４４］
リモートページングプロキシデバイスであって、
クライアント端末へのページングメッセージのためのプロキシとして動作するための通知をローカルページングプロキシから受信するための手段と、
前記クライアント端末に向けられたページングメッセージのための第１の通信インターフェースをモニタするための手段と、
第２の通信インターフェースを介して、獲得されたページングメッセージの少なくとも一部を前記ローカルページングプロキシに送信するための手段と
を備えるリモートページングプロキシデバイス。
［Ｃ４５］
リモートページングプロキシ上で動作可能な１つ以上の命令を有するプロセッサ可読媒体であって、プロセッサによって実行されると、前記プロセッサに、
クライアント端末へのページングメッセージのためのプロキシとして動作するための通知を、ローカルページングプロキシから受信させ、
前記クライアント端末に向けられたページングメッセージのための第１の通信インターフェースをモニタさせ、
第２の通信インターフェースを介して、獲得されたページングメッセージの少なくとも一部を前記ローカルページングプロキシに送信させる
プロセッサ可読媒体。
［Ｃ４６］
回路を含むプロセッサであって、前記回路は、
クライアント端末へのページングメッセージのためのプロキシとして動作するための通知をローカルページングプロキシから受信することと、
前記クライアント端末に向けられたページングメッセージのための第１の通信ネットワークをモニタすることと、
第２の通信インターフェースを介して、獲得されたページングメッセージの少なくとも一部を前記ローカルページングプロキシに送信することと
に適している、プロセッサ。
【図１】
0005619777.tif 000003
【図２Ａ】
0005619777.tif 000004
【図２Ｂ】
0005619777.tif 000005
【図２Ｃ】
0005619777.tif 000006
【図３】
0005619777.tif 000007
【図４】
0005619777.tif 000008
【図５】
0005619777.tif 000009
【図６】
0005619777.tif 000010
【図７】
0005619777.tif 000011
【図８】
0005619777.tif 000012
【図９】
0005619777.tif 000013
【図１０】
0005619777.tif 000014
【図１１】
0005619777.tif 000015
【図１２】
0005619777.tif 000016
【図１３】
0005619777.tif 000017